(57)【要約】【課題】　折畳み型携帯電話機に対し、それが開状態となったときに、時間帯毎に割り当てられた同一の広告データあるいは緊急情報の内容をそれぞれの携帯電話機の待受け画面として画面全体に表示させる。【解決手段】　インターネット接続可能な折畳み型携帯電話機の制御を補助するプログラムにより、所定のタイミングで、広告データの配信を要求して、時間帯毎に割り当てられた前記広告データを取得し、当該折畳み型携帯電話機の開状態が検知された場合に、取得した前記広告データを待受け画面として表示する。あるいは、緊急に配信される緊急情報の内容を、当該折畳み型携帯電話機の開状態が検知された場合に、待受け画面として表示する。【選択図】　　　　図４
2004147314.tif 000002
【特許請求の範囲】
【請求項１】
広告データを配信する広告配信システムにインターネットを介して接続可能な折畳み型携帯電話機の制御を補助するプログラムであって、　所定のタイミングで、前記広告データの配信を要求することにより、時間帯毎に割り当てられた前記広告データを取得する手順と、
　前記折畳み型携帯電話機の開状態が検知された場合に、取得した前記広告データを待受け画面として表示する手順と、を含む
　ことを特徴とする折畳み型携帯電話機の制御を補助するプログラム。
【請求項２】
所定の時間間隔毎に、前記広告データの配信を要求する
　ことを特徴とする請求項１に記載の折畳み型携帯電話機の制御を補助するプログラム。
【請求項３】
前記所定のタイミングは、ユーザ毎またはユーザの群毎に異なる
　ことを特徴とする請求項１または請求項２に記載の折畳み型携帯電話機の制御を補助するプログラム。
【請求項４】
前記折畳み型携帯電話機が開状態となった時点に、前記広告データの配信を要求する
　ことを特徴とする請求項１に記載の折畳み型携帯電話機の制御を補助するプログラム。
【請求項５】
前記折畳み型携帯電話機において広告データが表示された時刻、および、前記広告データを表示する待受け画面の消去を伴う操作がなされた時刻を、前記広告配信システムに通知する手順を、さらに含む
　ことを特徴とする請求項１ないし請求項４のいずれかに記載の折畳み型携帯電話機の制御を補助するプログラム。
【請求項６】
インターネットを介し携帯電話機に広告データを配信する広告配信サービスを提供する広告配信システムにおいて、
　折畳み型携帯電話機のユーザから前記広告配信サービスを受けるための登録情報を受け、当該ユーザの登録を行うユーザ登録手段と、
　所定のタイミングで、前記広告データの配信を要求することにより、前記広告データを取得する手順と、前記折畳み型携帯電話機の開状態が検知された場合に、取得した前記広告データを待受け画面として表示する手順と、を含むプログラムを、前記登録をしたユーザの折畳み型携帯電話機にインターネットを介して与えるプログラム提供手段と、
　前記登録をしたユーザの折畳み型携帯電話機からの配信の要求に応じて、時間帯毎に割り当てられた広告データを配信する広告データ配信手段と、を具備する
　ことを特徴とする広告配信システム。
【請求項７】
前記登録をしたユーザの折畳み型携帯電話機に与えるプログラムは、
　前記折畳み型携帯電話機において広告データが表示された時刻、および、前記広告データを表示する待受け画面の消去を伴う操作がなされた時刻を、前記広告配信システムに通知する手順を、さらに含み、
　前記広告配信システムは、
　前記登録をしたユーザの折畳み型携帯電話機から通知される、前記折畳み型携帯電話機において広告データが表示された時刻、および、前記広告データを表示する待受け画面の消去を伴う操作がなされた時刻から、配信した広告データの閲覧時間を算出する閲覧時間算出手段を、さらに具備する
　ことを特徴とする請求項６に記載の広告配信システム。
【請求項８】
緊急情報を配信する緊急情報配信システムにインターネットを介して接続可能な折畳み型携帯電話機の制御を補助するプログラムであって、
　前記緊急配信システムから配信される緊急情報を受信する手順と、
　前記折畳み型携帯電話機の開状態が検知された場合、取得した前記緊急情報の内容を待受け画面に表示する手順と、
　更新される緊急情報の再配信の時刻がさらに指定された場合には、指定の時刻に緊急情報の配信を要求することにより、当該時刻に対応する緊急情報を取得する手順と、を含む
　ことを特徴とする折畳み型携帯電話機の制御を補助するプログラム。
【請求項９】
前記折畳み型携帯電話機の開状態が検知された場合に、該開状態となった時刻を知らせるための通知を前記緊急情報配信システムに送信する手順を、さらに含む
　ことを特徴とする請求項８に記載の折畳み型携帯電話機の制御を補助するプログラム。
【請求項１０】
インターネットを介し携帯電話機に緊急情報を配信する緊急情報配信サービスを提供する緊急情報配信システムにおいて、
　折畳み型携帯電話機のユーザから前記緊急情報配信サービスを受けるための登録情報を受け、当該ユーザの登録を行うユーザ登録手段と、
　前記登録をしたユーザの折畳み型携帯電話機にインターネットを介して与えるプログラムであって、前記緊急配信システムから配信される緊急情報を受信する手順と、前記折畳み型携帯電話機の開状態が検知された場合、取得した前記緊急情報を待受け画面に表示する手順と、更新される緊急情報の再配信の時刻がさらに指定された場合には、指定の時刻に緊急情報の配信を要求することにより、当該時刻に対応する緊急情報を取得する手順と、を含むプログラムを提供するプログラム提供手段と、
　緊急情報の登録、及び、更新される緊急情報の再配信の時刻がさらに指定される場合にはその時刻の登録をする緊急情報登録手段と、
　緊急情報が登録された場合、前記登録されたユーザの折畳み型携帯電話機に対し当該緊急情報の配信を行い、前記折畳み型携帯電話機からの再配信の要求に応じて、この要求時に対応する緊急情報を配信する配信手段と、を具備する
　ことを特徴とする緊急情報配信システム。
【請求項１１】
前記プログラムは、前記折畳み型携帯電話機の開状態が検知された場合に、該開状態となった時刻を知らせるための通知を前記緊急情報配信システムに送信する手順を、さらに含み、
　前記緊急情報配信システムは、前記緊急情報を配信した折畳み型携帯電話機から前記開状態となった時刻を知らせるための通知を受けた場合に、該通知を基に所定の統計量の算出をする算出手段を、さらに具備する
　ことを特徴とする請求項１０に記載の緊急情報配信システム。
【発明の詳細な説明】
【技術分野】
【０００１】
　本発明は、広告データを配信する広告配信システム、緊急の情報からなる緊急データを配信する緊急情報配信システム及び折畳み型携帯電話機の制御を補助するプログラムに関する。
【背景技術】
【０００２】
　現在、携帯電話機は、通話機能のみならず、情報端末としての機能をももつようになってきている。具体的には、携帯電話機からインターネットに接続して、情報サイトの閲覧や、電子メールの送受信等、様々な情報の授受ができるようになっている。一方、インターネットでは、ＷＷＷ（Ｗｏｒｌｄ Ｗｉｄｅ Ｗｅｂ）ページ上にバナー広告を表示することなどが、広告媒体のひとつとして普及している。
【０００３】
　携帯電話機において、上記のようなバナー広告を表示する場合、表示領域の狭い携帯電話機にあっては、コンテンツの閲覧等をする際に、このバナー広告により表示領域の一部を占拠されてしまうので、利用者にとって不便である。また、バナー広告の場合、当該広告がユーザに見られたかの判断は、何回アクセスがあったかにより判断するしかない。したがって、実際にこの広告をどの程度ユーザに見られたかを正確に検証することはできず、当該広告の有効性を厳密に判断することは難しい。
　他方、広告には、テレビ放送におけるコマーシャルのように、視聴者の生活様式から、放送される時間帯が意味をもつ場合があり、携帯電話機に対しても、時間帯毎に応じた広告を提供できることが望まれた。
【特許文献１】特願２０００−３６１３４７号公報
【発明の開示】
【発明が解決しようとする課題】
【０００４】
　本発明は、上記の点に鑑みてなされたもので、特に、折畳み型携帯電話機に対し、それが開状態となったときに、時間帯毎に割り当てられた同一の広告データをそれぞれの携帯電話機の待受け画面として画面全体に表示させることができ、さらに、各ユーザがこの広告を閲覧した時間を求めることができる広告配信システム及び折畳み型携帯電話機の制御を補助するプログラムを提供することを目的とする。
【課題を解決するための手段】
【０００５】
　本発明の折畳み型携帯電話機の制御を補助するプログラムは、広告データを配信する広告配信システムにインターネットを介して接続可能な折畳み型携帯電話機の制御を補助するプログラムであって、所定のタイミングで、前記広告データの配信を要求することにより、時間帯毎に割り当てられた前記広告データを取得する手順と、前記折畳み型携帯電話機の開状態が検知された場合に、取得した前記広告データを待受け画面として表示する手順と、を含むことを特徴としている。
【０００６】
　本発明では、当該折畳み型携帯電話機が開状態となった場合、すなわち、ユーザが意図的に当該折畳み型携帯電話機を開いたときに、取得した広告データを待受け画面として表示するので、当該広告を確実にユーザに見せることができる。
【０００７】
　また、本発明は、請求項１に記載の折畳み型携帯電話機の制御を補助するプログラムにおいて、所定の時間間隔毎に、前記広告データの配信を要求することを特徴としている。
【０００８】
　本発明では、所定の時間間隔毎に、広告データの配信を要求するので、その結果、当該折畳み型携帯電話機の開閉状態にかかわらず広告データを取得できるので、当該折畳み型携帯電話機が開状態となった場合に、取得済みの広告データを直ちに表示することができる。
【０００９】
　また、本発明は、請求項１または請求項２に記載の折畳み型携帯電話機の制御を補助するプログラムにおいて、前記所定のタイミングが、ユーザ毎またはユーザの群毎に異なることを特徴としている。
【００１０】
　本発明では、ユーザ毎またはユーザの群毎に異なるタイミングで広告データの要求をするので、広告配信システムと、この広告配信システムから広告データの配信を受ける複数の折畳み型携帯電話機間のトラヒックの集中を防ぐことができる。
【００１１】
　また、本発明は、請求項１に記載の折畳み型携帯電話機の制御を補助するプログラムにおいて、前記折畳み型携帯電話機が開状態となった時点に、前記広告データの配信を要求することを特徴としている。
【００１２】
　本発明では、携帯電話機が通常ランダムな時点に使用されることから、本発明の折畳み型携帯電話機が開状態となった時点に発信される広告データの配信の要求も、ランダムになされることになり、広告配信システムと、この広告配信システムから広告データの配信を受ける複数の折畳み型携帯電話機間のトラヒックの集中を防ぐことができる。
【００１３】
　また、本発明は、請求項１ないし請求項４のいずれかに記載の折畳み型携帯電話機の制御を補助するプログラムにおいて、前記折畳み型携帯電話機において広告データが表示された時刻、および、前記広告データを表示する待受け画面の消去を伴う操作がなされた時刻を、前記広告配信システムに通知する手順を、さらに含むことを特徴としている。
【００１４】
　本発明では、当該折畳み型携帯電話機が開状態となった時刻、および、広告データを表示する待受け画面の消去を伴う操作がなされた時刻を、広告配信システムに通知することで、当該折畳み型携帯電話機にて表示された広告データがユーザにより閲覧されたとみなせる時間（これは当該折畳み型携帯電話機が開状態となった時刻から、広告データを表示する待受け画面の消去を伴う操作がなされた時刻までの時間として求められる）を、当該広告配信システムにて算出可能とすることができる。
【００１５】
　また、本発明は、インターネットを介し携帯電話機に広告データを配信する広告配信サービスを提供する広告配信システムにおいて、折畳み型携帯電話機のユーザから前記広告配信サービスを受けるための登録情報を受け、当該ユーザの登録を行うユーザ登録手段と、所定のタイミングで、前記広告データの配信を要求することにより、前記広告データを取得する手順と、前記折畳み型携帯電話機の開状態が検知された場合に、取得した前記広告データを待受け画面として表示する手順と、を含むプログラムを、前記登録をしたユーザの折畳み型携帯電話機にインターネットを介して与えるプログラム提供手段と、前記登録をしたユーザの折畳み型携帯電話機からの配信の要求に応じて、時間帯毎に割り当てられた広告データを配信する広告データ配信手段と、を具備することを特徴としている。
【００１６】
　本発明では、配信の要求に応じて、時間帯毎に割り当てられた広告データを配信する広告データ配信手段を備え、上記プログラムを、登録をしたユーザの折畳み型携帯電話機に与えるので、登録をしたユーザの折畳み型携帯電話機のそれぞれに、時間帯に応じた同一の広告データを配信することが可能となる。
【００１７】
　また、本発明は、請求項６に記載の広告配信システムにおいて、前記登録をしたユーザの折畳み型携帯電話機に与えるプログラムが、前記折畳み型携帯電話機において広告データが表示された時刻、および、前記広告データを表示する待受け画面の消去を伴う操作がなされた時刻を、前記広告配信システムに通知する手順を、さらに含み、前記広告配信システムが、前記登録をしたユーザの折畳み型携帯電話機から通知される、前記折畳み型携帯電話機において広告データが表示された時刻、および、前記広告データを表示する待受け画面の消去を伴う操作がなされた時刻から、配信した広告データの閲覧時間を算出する閲覧時間算出手段を、さらに具備することを特徴としている。
【００１８】
　本発明では、登録をしたユーザの折畳み型携帯電話機に与えるプログラムが、当該折畳み型携帯電話機において広告データが表示された時刻、および、広告データを表示する待受け画面の消去を伴う操作がなされた時刻を、広告配信システムに通知する手順を、さらに含んでおり、当該折畳み型携帯電話機から送られるこれらの時刻から、配信した広告データの閲覧時間（これは当該折畳み型携帯電話機が開状態となった時刻から、広告データを表示する待受け画面の消去を伴う操作がなされた時刻までの時間として求められる）を算出するので、配信した広告の有効性の判断に役立てることができる。
【００１９】
　また、本発明の折畳み型携帯電話機の制御を補助するプログラムは、緊急情報を配信する緊急情報配信システムにインターネットを介して接続可能な折畳み型携帯電話機の制御を補助するプログラムであって、前記緊急配信システムから配信される緊急情報を受信する手順と、前記折畳み型携帯電話機の開状態が検知された場合、取得した前記緊急情報の内容を待受け画面に表示する手順と、更新される緊急情報の再配信の時刻がさらに指定された場合には、指定の時刻に緊急情報の配信を要求することにより、当該時刻に対応する緊急情報を取得する手順と、を含むことを特徴としている。
【００２０】
　本発明では、当該折畳み型携帯電話機が開状態となった場合、すなわち、ユーザが意図的に当該折畳み型携帯電話機を開いたときに、取得した緊急情報の内容を待受け画面に表示するので、当該緊急情報の内容を確実にユーザに見せることができる。
　なお、緊急情報（あるいは、緊急情報の配信の通知でもよい）を受ける際には、従来の電話や電子メールの着信の際の着信音やバイブレータの振動等による着信の告知により、何らかの着信があることをユーザに知らせることができる。この告知を起因として、ユーザは、自身の折畳み型携帯電話機を開き、緊急情報を視認することになる。
【００２１】
　また、本発明は、請求項９に記載の折畳み型携帯電話機の制御を補助するプログラムにおいて、前記折畳み型携帯電話機の開状態が検知された場合に、該開状態となった時刻を知らせるための通知を前記緊急情報配信システムに送信する手順を、さらに含むことを特徴としている。
【００２２】
　本発明では、当該折畳み型携帯電話機が開状態となった時刻を知らせるための通知を緊急情報配信システムに送信することで、緊急情報配信システムにて、この通知を基に所定の統計量を算出可能とすることができる。
【００２３】
　また、本発明は、インターネットを介し携帯電話機に緊急情報を配信する緊急情報配信サービスを提供する緊急情報配信システムにおいて、折畳み型携帯電話機のユーザから前記緊急情報配信サービスを受けるための登録情報を受け、当該ユーザの登録を行うユーザ登録手段と、前記登録をしたユーザの折畳み型携帯電話機にインターネットを介して与えるプログラムであって、前記緊急配信システムから配信される緊急情報を受信する手順と、前記折畳み型携帯電話機の開状態が検知された場合、取得した前記緊急情報を待受け画面に表示する手順と、更新される緊急情報の再配信の時刻がさらに指定された場合には、指定の時刻に緊急情報の配信を要求することにより、当該時刻に対応する緊急情報を取得する手順と、を含むプログラムを提供するプログラム提供手段と、緊急情報の登録、及び、更新される緊急情報の再配信の時刻がさらに指定される場合にはその時刻の登録をする緊急情報登録手段と、緊急情報が登録された場合、前記登録されたユーザの折畳み型携帯電話機に対し当該緊急情報の配信を行い、前記折畳み型携帯電話機からの再配信の要求に応じて、この要求時に対応する緊急情報を配信する配信手段と、を具備することを特徴としている。
【００２４】
　本発明では、上記プログラムを、登録をしたユーザの折畳み型携帯電話機に与え、登録された緊急情報を、登録をしたユーザの折畳み型携帯電話機のそれぞれに配信するので、緊急情報を対象のユーザに同報できるとともに、（必要に応じて）再配信の時刻を指定することにより、折畳み型携帯電話機から再配信の要求がされ、この要求時に対応する緊急情報を配信するので、更新される緊急情報を順次再配信することができる。
【００２５】
　また、本発明は、請求項１０に記載の緊急情報配信システムにおいて、前記プログラムは、前記折畳み型携帯電話機の開状態が検知された場合に、該開状態となった時刻を知らせるための通知を前記緊急情報配信システムに送信する手順を、さらに含み、前記緊急情報配信システムは、前記緊急情報を配信した折畳み型携帯電話機から前記開状態となった時刻を知らせるための通知を受けた場合に、該通知を基に所定の統計量の算出をする算出手段を、さらに具備することを特徴としている。
【００２６】
　本発明では、登録をしたユーザの折畳み型携帯電話機に与えるプログラムが、当該折畳み型携帯電話機において開状態となった時刻を知らせるための通知を緊急情報配信システムに送信し、緊急情報配信システムが、当該折畳み型携帯電話機からの通知を基に所定の統計量の算出をする。これにより算出される統計量は、配信した緊急情報の配信の有効性等の判断に役立てることができる。
【００２７】
　なお、上記において、折畳み型携帯電話機が開状態となった時刻を知らせるための通知とは、当該折畳み型携帯電話機にて開状態となった時刻（すでに開状態である場合は、待受け画面に緊急情報の内容を表示した時刻とする）の通知、あるいは当該折畳み型携帯電話機が開状態となった時点に発信し、緊急情報配信システム側で当該折畳み型携帯電話機が開状態となった時刻を決定するための通知等である。
【００２８】
　また、所定の統計量としては、上記通知を返した折畳み型携帯電話機の台数に関する統計量（台数そのものや、配信した折畳み型携帯電話機の全体に対する当該通知を返した折畳み型携帯電話機の比率等）、あるいは、緊急情報の配信から該緊急情報の配信を受けた折畳み型携帯電話機が開状態となるまでの経過時間から得られる統計量（配信時刻から、この通知を受けた時刻または折畳み型携帯電話機が開状態となった時刻までの経過時間の平均値）等が挙げられる。
【発明の効果】
【００２９】
　本発明によれば、各ユーザの折畳み型携帯電話機に対し、それが開状態となったときに、時間帯毎に割り当てられた同一の広告データをそれぞれの待受け画面として画面全体に表示させることができる。すなわち、各ユーザが折畳み型携帯電話機を開くと、同じ時間帯には同一の広告を見ることになり、したがって、広告主にとって、所望の時間帯に所望の広告を打つことができるので、広告の宣伝効果を高めることができる。
　また、本発明によれば、さらに、各ユーザがこの広告を閲覧した時間を求めることができ、配信した広告データの評価に利用することができる。
【００３０】
　また、本発明によれば、緊急を要する緊急情報の配信を、随時行うことができるとともに、更新される緊急情報の再配信も所定の時刻に行うことができ、また、ユーザが意図的に当該折畳み型携帯電話機を開いたときに、取得した緊急情報の内容を待受け画面に表示するので、当該緊急情報の内容を確実にユーザに見せることができる。
　また、折畳み型携帯電話機から通知された情報を基に、所定の統計量の算出をするので、配信した緊急情報の配信の有効性等の判断に役立てることができる。
【発明を実施するための最良の形態】
【００３１】
　以下、本発明の実施の形態を、図面を参照して説明する。
　図１は、本発明の一実施の形態である広告配信システムと、この広告配信システムから広告データの配信を受ける折畳み型携帯電話機を含むシステム全体の概略構成を示す図である。
　この図に示すように、本実施の形態の広告配信システム１は、インターネットおよび携帯電話網を介して折畳み型携帯電話機２（以下、携帯電話機２と称す）に接続され、広告データを配信する広告配信サービスを提供する。
　なお、携帯電話機２は、インターネット接続可能であって、下記の補助プログラムとしてのＪａｖａ（登録商標）アプレットの組み込みとその実行が可能であるものとする。
【００３２】
　図２は、広告配信システム１の概略構成を示すブロック図である。
　同図において、符号３は、通信部である。この通信部３は、インターネットと接続するためのインターフェース回路であり、周知の回路を用いて構成することができる。
　符号４は、記憶部であり、ユーザ属性ＤＢ・４ａと広告スケジュールＤＢ・４ｂと携帯電話機２にて実行されるＪａｖａ（登録商標）アプレットである補助プログラム４ｃを記憶している。
【００３３】
　ユーザ属性ＤＢ・４ａは、当該広告配信システム１が提供する広告配信サービスを受けるためにユーザ登録をしたユーザの登録情報（性別、年齢、既婚・未婚の別、職業、年収、趣味等、ユーザの属性を示す情報からなる）ならびにユーザが閲覧した広告に関する情報（広告を特定する情報（識別コード等）、携帯電話機２にて広告が表示された時刻、消去された時刻、閲覧時間等）が記録される。
　広告スケジュールＤＢ・４ｂは、配信する広告データが、配信するスケジュールに応じて、時間帯毎に分類され、あるいは、各時間帯に対応づけられ格納されている。
　補助プログラム４ｃは、当該広告配信システムから携帯電話機２に与えられるプログラムであり、携帯電話機２にて実行されるＪａｖａ（登録商標）アプレットとして実現される。詳細は、後述する実施例にて説明する。
【００３４】
　符号５は処理部であり、ユーザ登録部５ａ、補助プログラム提供部５ｂ、広告データ配信部５ｃ、広告閲覧時間算出部５ｄを含んでいる。
　ユーザ登録部５ａは、携帯電話機２のユーザが、当該広告配信システム１にて提供する広告配信サービスを受けるための登録処理を行う。このユーザ登録部５ａは、携帯電話機２から送られるユーザの登録情報を受け、上記ユーザ属性ＤＢ・４ａに格納する。この登録情報は、図３に示す例では、同図（ａ）に示すメニュー画面にて、登録を開始するための「６広告配信登録」が選択され、同図（ｂ）に示す登録画面に移行し、この画面にて所定の登録情報が入力され送信されることにより広告配信システム１に与えられ登録が完了する（同図（ｃ））。
【００３５】
　補助プログラム提供部５ｂは、携帯電話機２の制御を補助するプログラムである上記補助プログラム４ｃを、ユーザ登録をしたユーザの携帯電話機２に、インターネットを介して与える。なお、ユーザ登録の際には、ユーザの登録情報に加えて、その携帯電話機２を識別するための情報も受ける。そしてこの情報を基に上記補助プログラム４ｃを送信する。
【００３６】
　広告データ配信部５ｃは、携帯電話機２からの配信要求に応じて、配信要求を受けた時刻を含む時間帯に割り当てられた広告データを、配信要求を出した携帯電話機２に配信する。なお、上記配信要求には、この配信要求を送信した携帯電話機２を識別するための情報が含まれており、この情報を基に配信を行う。
　広告閲覧時間算出部５ｄは、携帯電話機２に組み込まれた補助プログラム４ｃによる制御により送信される、広告データが表示された時刻Ｔ１と広告データを表示する待受け画面の消去を伴う時刻すなわち広告データが消去された時刻Ｔ２とを受け、これらの時刻から広告閲覧時間（Ｔ２−Ｔ１）を算出し、ユーザ属性ＤＢ・４ａに記録する。なお、この広告閲覧時間（Ｔ２−Ｔ１）の算出は、携帯電話機２側で行ってもよい。この場合は、携帯電話機２において、上記補助プログラム４ｃにより、広告データが表示された時刻Ｔ１と広告データを表示する待受け画面の消去を伴う時刻すなわち広告データが消去された時刻Ｔ２とを一時記憶し、これらから算出する。そして、算出された広告閲覧時間（Ｔ２−Ｔ１）はキャッシュしておき、所定のタイミングでまとめて本広告配信システム１に送信させるものとする。
【００３７】
　ここで、記憶部４は、ハードディスク、光磁気ディスク等の不揮発性の記録装置により構成されているものとする。
　また、処理部５はメモリおよびＣＰＵ（中央処理装置）等により構成され、処理部５の各機能を実現するためのプログラム（図示せず）をメモリにロードして実行することによりその機能が実現されるものとする。
　また、広告配信システム１には、周辺機器として入力装置、表示装置等（いずれも図示せず）が接続されるものとする。ここで、入力装置とはキーボード、マウス等の入力デバイスのことをいう。表示装置とはＣＲＴ（Ｃａｔｈｏｄｅ Ｒａｙ Ｔｕｂｅ）や液晶表示装置等のことをいう。
【００３８】
　次に、このように構成された本実施形態の広告配信システム１の動作および補助プログラム４ｃの制御による携帯電話機２の動作について説明する。
【００３９】
［実施例１］
　本実施例では、図４に示すように、所定の時刻毎に、広告データの配信要求を広告配信システム１に向け送信する。本実施の形態では、補助プログラム４ｃに設定された、配信要求を送信させる時刻は、広告配信システム１にて定められた時間帯に応じて定められ共通に設定されているものとする。すなわち、この補助プログラム４ｃを組み込んだすべての携帯電話機２は、同じ時刻毎に広告データの配信要求を送信する。同図に示すＳ２０１では、所定時刻ｔ１に配信要求を送信している。
【００４０】
　なお、広告配信システム１と各携帯電話機２間のトラヒックの集中を防ぐために、各携帯電話機２から配信要求を送信する時刻を、ユーザ毎またはユーザの群毎に異なるように（例えば、秒単位で異なるように）してもよい。この場合、広告配信システム１から携帯電話機２に提供する補助プログラム４ｃの、配信要求を送信する時刻に関する設定を、ユーザ毎あるいはユーザの群毎に予め異なるようにしておく。
【００４１】
　次に、上記配信要求を受信した広告配信システム１は、広告データ配信部５ｃが、この配信要求を受けた時刻ｔ１を含む時間帯に割り当てられた広告データを広告スケジュールＤＢ・４ｂから読み出し、当該配信要求を出した携帯電話機２に向け配信する（Ｓ１０１）。
　携帯電話機２は、配信要求に応じて配信された広告データを受信すると、この広告データを記憶するためのバッファメモリに記憶する（Ｓ２０２）。次の所定時刻（例えば、ｔ２）が来た場合には、再び配信要求を送信する（Ｓ２０３）。
これに応じて、広告配信システム１は、時刻ｔ２を含む時間帯に割り当てられた広告データを配信する（Ｓ１０２）。携帯電話機２は、配信された広告データを受け、これをバッファメモリに上書きし記憶する（Ｓ２０４）。このようにして、バッファメモリには、最新に受けた広告データが格納される。
【００４２】
　ここで、携帯電話機２において開状態が検知された場合（Ｓ２０５）、バッファメモリに記憶している広告データを、その表示部に待受け画面として画面全体に表示する（Ｓ２０６：図５（ａ）参照）。そして、この広告データを表示した時刻Ｔ１を広告配信システム１に通知する（Ｓ２０７）。また、携帯電話機２にて、広告データを表示する待受け画面の消去を伴う操作（図５（ｂ）に示すような他の画面に変わる操作、あるいは当該携帯電話機２を閉じる操作）を検知すると（Ｓ２０８）、この操作を検知した時刻Ｔ２を広告配信システム１に通知する（Ｓ２０９）。
【００４３】
　広告配信システム１は、上記時刻Ｔ１およびＴ２を受信すると、広告閲覧時間算出部５ｄが、これらのデータを、当該携帯電話機２のユーザの属性情報の一部としてユーザ属性ＤＢ・４ａに記録する（Ｓ１０３，Ｓ１０４）。さらに、時刻Ｔ１およびＴ２から広告閲覧時間（Ｔ２−Ｔ１）を算出し（Ｓ１０５）、同様にユーザ属性ＤＢ・４ａに記録する。
　なお、本実施例で参照した図５（ａ）にて例示した広告データの表示例では、一般的な折畳み型携帯電話機に備わる折畳み状態で内部にある表示部に表示した例を示しているが、外部に設けられた表示部に表示するようにしてもよい。
【００４４】
［実施例２］
　本実施例では、図６に示すように、携帯電話機２の開状態を検知し（Ｓ２２１）、この開状態が検知された時点に、広告データの配信要求を広告配信システム１に向け送信する（Ｓ２２２）。
　この配信要求を受信した広告配信システム１は、広告データ配信部５ｃが、この配信要求を受けた時刻を含む時間帯に割り当てられた広告データを広告スケジュールＤＢ・４ｂから読み出し、当該配信要求を出した携帯電話機２に向け配信する（Ｓ１２１）。
【００４５】
　携帯電話機２は、配信要求に応じて配信された広告データを受信すると、この広告データを、その表示部に待受け画面として画面全体に表示する（Ｓ２２３）。そして、この広告データを表示した時刻Ｔ１を広告配信システム１に通知する（Ｓ２２４）。また、携帯電話機２にて、広告データを表示する待受け画面の消去を伴う操作を検知すると（Ｓ２２５）、この操作を検知した時刻Ｔ２を広告配信システム１に通知する（Ｓ２２６）。
【００４６】
　広告配信システム１は、上記時刻Ｔ１およびＴ２を受信すると、広告閲覧時間算出部５ｄが、これらのデータを、当該携帯電話機２のユーザの属性情報の一部としてユーザ属性ＤＢ・４ａに記録する（Ｓ１２２，Ｓ１２３）。さらに、時刻Ｔ１およびＴ２から広告閲覧時間（Ｔ２−Ｔ１）を算出し（Ｓ１２４）、同様にユーザ属性ＤＢ・４ａに記録する。
【００４７】
　なお、上記で説明した各動作シーケンスは一例であり、上記の処理の流れに限定されるものではない。
　上記実施例１あるいは実施例２のようにして求められた広告閲覧時間や、その他のユーザ属性情報は、配信した広告を評価する際に利用することができる。
　また、上記実施の形態では、登録をしたユーザに対し、広告主から得られる広告料を、登録ユーザにかかる基本料や通信料等に還元しその割引をすることもできる。
【００４８】
　また、現在の携帯電話機では、当該携帯電話機と接続された基地局の位置から当該携帯電話機が位置するエリアの情報が得られるものもある。本実施の形態の携帯電話機２として、このような携帯電話機を利用すると、配信要求に当該携帯電話機２が位置するエリア情報を含め、広告配信システム１が、このエリア情報に応じた広告データを配信する構成とすると、さらにきめ細かな広告配信サービスを提供することも可能となる。
【００４９】
　また、上記実施の形態では、所定の時刻に表示される広告データが自動的に変更されるが、表示を見逃した人や再度確認をしたい人のために、過去に配信された広告データを過去に遡及して閲覧できることが望ましい。この場合、上記実施の形態の構成に加え、補助プログラム４ｃにより、携帯電話機２において、ある一定期間（１日間など）に配信された広告データを蓄積し、その内容を閲覧可能とする制御を行うか、広告配信システム１側で、過去に配信した広告データにアクセスできる検索用のＷｅｂページを設け、補助プログラム４ｃにより携帯電話機２をこのＷｅｂページにリンクさせアクセス可能とし、このＷｅｂページ上で、過去に配信された広告データの、配信日、時刻、業種、商品種別等の検索キーの入力を受け、携帯電話機２に要求された広告データを配信する構成をとる。
【００５０】
　なお、図２における処理部５の機能を実現するためのプログラムあるいは上記補助プログラム４ｃをコンピュータ読み取り可能な記録媒体に記録して、この記録媒体に記録されたプログラムをコンピュータシステムに読み込ませ、実行することにより広告配信サービスの提供のための処理を行ってもよい。なお、ここでいう「コンピュータシステム」とは、ＯＳや周辺機器等のハードウェアを含むものとする。
【００５１】
　また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００５２】
　また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
　また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００５３】
　以上、この発明の実施形態を、図面を参照して詳述してきたが、具体的な構成はこの実施形態に限られるものではなく、この発明の要旨を逸脱しない範囲の構成等も含まれる。例えば、緊急時には、広告データの代わりに、緊急情報を配信するようにしてもよい。また、前述のように、広告データの配信を、携帯電話機２が位置するエリアに対応させた場合、緊急時の配信もエリア毎に必要な情報を配信することが可能となる。
【００５４】
　ここで、上記のように広告データの代わりに緊急情報を配信する場合の例を説明する。
　図７に示す緊急情報配信システム１’は、前述の広告配信システム１と同様に、通信部３、記憶部４、ユーザ属性ＤＢ・４ａ、補助プログラム４ｃ’、処理部５、ユーザ登録部５ａ、補助プログラム提供部５ｂを備えており、また、前述の広告スケジュールＤＢ・４ｂに代え、緊急情報の情報管理者により緊急情報が登録される緊急情報ＤＢ・４ｂ’と、広告データ配信部５ｃに代え、登録されたユーザの携帯電話機２に緊急情報を配信する緊急情報配信部５ｃ’と、広告閲覧時間算出部５ｄに代え、各ユーザの緊急情報の閲覧に係る所定の統計量（後述）を求める閲覧統計量算出部５ｄ’とを備えている。
　この構成において、補助プログラム４ｃ’及び閲覧統計量算出部５ｄ’を除く各部の基本的な機能は、対応する前述の広告配信システム１を構成する各部の機能と同様である。また、本実施例で使用する（折畳み型）携帯電話機２も同様でありこれらの説明は省略する。
【００５５】
　なお、緊急情報とは、地震・事故等に関する緊急に通知すべき情報である。本実施例では、ユーザが使用する携帯電話機２にてその内容が表示される緊急データ（緊急情報の内容）と、携帯電話機２を制御するため補助プログラム４ｃに与える命令及びデータとからなるものとする。
　また、補助プログラム４ｃ’は、携帯電話機２において緊急データとともに表示するための画像データを複数含んでおり、さらにこの緊急データの表示と同時に再生するための音声データを複数含んでいる。これらの画像データや音声データは、配信される緊急情報に含まれる命令に従って選択され出力される。
【００５６】
　次に、この例における緊急情報配信システム１’と携帯電話機２の動作について説明する。
　以下では、緊急情報の配信を受けるユーザは、予め緊急情報の配信を受けるための登録（個人情報やメールアドレス、携帯電話機２の電話番号等の登録）をしており、緊急情報配信サーバ１’から予め補助プログラム４ｃの提供を受け、このプログラムが携帯電話機２にインストールされているものとする。以下に説明する携帯電話機２の動作は、この補助プログラム４ｃの機能による。なお、以下にて参照する図に示す携帯電話機２は、複数存在する。
【００５７】
（例１）電子メールを利用し、緊急情報の配信にあたり先に緊急情報通知メールを緊急情報配信システム１’から携帯電話機２へ送信する場合（図８、図１１（ａ）参照）：
　緊急情報を管理する情報管理者により緊急情報が緊急情報配信システム１’に登録されると、緊急情報配信システム１’は、緊急情報通知メールを登録されたユーザの携帯電話機２のメールアドレス宛送信（一斉配信）する（ｓ１３１）。
【００５８】
　携帯電話機２は、図示しないメールサーバから送られる緊急情報通知メールの着信通知を受信し（ｓ２３１）、従来のように音やバイブレータの振動によりメールの着信をユーザに告知する。
　次いで、補助プログラム４ｃ’が、上記着信通知から緊急情報通知メールの着信を検出すると（例えば、発信者のメールアドレス等の情報を基に検出する）、この補助プログラム４ｃの機能により緊急情報配信システム１’に緊急情報配信要求を送信する（ｓ２３２）。
【００５９】
　緊急情報配信システム１’は、携帯電話機２から緊急情報配信要求を受けると、登録された緊急情報を、緊急情報配信要求を発信した携帯電話機２に配信する（ｓ１３２）。なお、緊急情報には、情報管理者により次回配信予定時刻（再配信の予定時刻）Ｔ３が登録されている場合にはこれが付加され、さらに携帯電話機２が開状態となった時刻を知らせるための通知（開状態通知）を携帯電話機２に応答させる登録（設定）がなされている場合には、携帯電話機２にその応答を要求する応答要求が付加される。
　なお、上記開状態通知とは、携帯電話機２が開状態となった時刻（すでに開状態である場合は、待受け画面に緊急情報の内容を表示した時刻とする）、あるいは当該携帯電話機２が開状態となった時点に発信し、緊急情報配信システム側で当該携帯電話機２が開状態となった時刻を決定するための通知等である。
【００６０】
　次いで、携帯電話機２は、緊急情報配信システム１’から配信された緊急情報を受信する（ｓ２３３）。なお、上記緊急情報通知メールの受信からこの緊急情報の受信までは十分に短時間に行われる。すなわち、ユーザが、折畳み型である携帯電話機２を開く（携帯電話機２が開状態となる）までに緊急情報の受信は完了する。
【００６１】
　次いで、ユーザが、携帯電話機２を開くと、補助プログラム４ｃ’がこれを検知し、待受け画面に受信した緊急データを表示するとともに、補助プログラム４ｃ’に含まれる所定の画像データを緊急情報に含まれる命令に従って表示させる。さらに、緊急情報に含まれる命令に従って補助プログラム４ｃに含まれる所定の音声データの再生や、バイブレータの振動を制御する（ｓ２３４）。このように表示に加え、音声による情報提供も可能であるので、健常者のみならず、目が不自由な人にも情報を伝えることができる。また、バイブレータの振動は、その振動数を制御して、緊急情報の種別等を区別できるようにすることで、目も耳も不自由な人にも情報を伝えることが可能となる。
　なお、緊急情報の受信時に、すでに携帯電話機２が開状態である場合には、直ちに緊急データの表示等を開始する。
【００６２】
　また、緊急情報に応答要求が含まれている場合には、携帯電話機２は、上記表示等を行うと直ちに上記開状態通知を緊急情報配信システム１’に通知する（ｓ２３５）。なお、図８のフローでは、緊急情報に応答要求が付加されているものとしている（図示せず）。
【００６３】
　次いで、携帯電話機２から、開状態通知を受けた緊急情報配信システム１’は、この通知を基に所定の統計量を算出する（ｓ１３３）。ここでは、例えば、当該開状態通知を返した携帯電話機２の台数に関する統計量（台数そのものや、配信した携帯電話機２の全体に対する当該開状態通知を返した携帯電話機２の比率等）や、緊急情報の配信から該緊急情報の配信を受けた携帯電話機２が開状態となるまでの経過時間から得られる統計量（配信時刻から、この開状態通知を受けた時刻または携帯電話機２が開状態となった時刻までの経過時間の平均値）等を算出する。こうして求められる統計量により、情報管理者は、配信した緊急情報がどの程度伝播することができたのか（ユーザに確実に伝わったのか）、配信からユーザが実際に緊急情報を知るまでどのくらいの時間を要したか等、配信の有効性などを判断することができる。
【００６４】
　また、緊急情報に次回配信予定時刻Ｔ３が含まれている場合には、携帯電話機２は、時刻Ｔ３に、緊急情報配信要求を再度緊急情報配信システム１’に送信する（ｓ２３６）。図８では、ｓ１３２に示すように、緊急情報に次回配信予定時刻Ｔ３が含まれているものとしている。
　次いで、緊急情報配信システム１’は、携帯電話機２から時刻Ｔ３に緊急情報配信要求を受信すると、この時刻Ｔ３に対応する更新された緊急情報を携帯電話機２に配信する（ｓ１３４）。以後の動作（ｓ２３７〜）は、ｓ２３３以降と同様となる。
【００６５】
（例２）電子メールを利用し、緊急情報を含めたメールを緊急情報配信システム１’から携帯電話機２へ配信する場合（図９、図１１（ａ）参照）：
　この例は、前述の（例１）のように、緊急情報の配信にあたり、先に緊急情報通知メールを緊急情報配信システム１’から携帯電話機２へ送信するのではなく、情報管理者により緊急情報が緊急情報配信システム１’に登録された時点で、前述の緊急情報を電子メールに含めて携帯電話機２のメールアドレス宛に送信する場合の例である。この場合、最初に緊急情報を含めた電子メールを携帯電話機２のメールアドレス宛に一斉配信するので、（例１）で説明した動作と異なる点は、ｓ１３１，ｓ１３２，ｓ２３１，ｓ２３２の処理が無い点と、これらに代え、ｓ１４１，ｓ２４１〜ｓ２４３の処理を行う点である。これらの点以外は、（例１）にて説明した動作と同様となる。
【００６６】
　同図に示すｓ１４１では、緊急情報および次回配信予定時刻Ｔ３をメール（電子メール）で携帯電話機２に送信（一斉配信）する。携帯電話機２は、図示しないメールサーバから送られるメールの着信通知を受信し（ｓ２４１）、従来のように音やバイブレータの振動によりメールの着信をユーザに告知する。
【００６７】
　次いで、補助プログラム４ｃ’が、上記着信通知から緊急情報を含むメールの着信を検出すると、この補助プログラム４ｃは、メールサーバから該当のメールをダウンロードし受信する（ｓ２４２）。そして、（例１）におけるｓ２３４の処理に相当するｓ２４３で、受信した電子メールから、これに含まれる緊急情報を抽出して後ｓ２３４と同様の処理を行う。以降（ｓ２４４〜）、（例１）におけるｓ２３５以降と同様の処理を行う。
【００６８】
　なお、上記（例１）、（例２）の説明では、メールサーバから送信される着信通知の受信を起点としてその着信の告知をし、メールサーバからメールを取得する形態をとっているが、新規のメールの取得のため、補助プログラム４ｃ’がタイマーを利用して定期的にメールサーバにアクセスし着信の確認やメールの取得を行い、所定のメールの着信が確認できた時点でバイブレータ等を制御しユーザに着信を告知するようにしてもよい。
【００６９】
（例３）緊急情報の配信にあたり先に、通常の電話発信により緊急情報の配信を通知する緊急情報通知電話を緊急情報配信システム１’から携帯電話機２へ発信する場合（図１０参照、図１１（ｂ））：
　この例が、（例１）で説明した電子メールを利用する場合と異なる点は、電子メールを利用した緊急情報通知メールによる緊急情報の配信の通知に代え、通常の電話発信による緊急情報の配信の通知をする点である。図１０に示すｓ１５１，ｓ２５１，ｓ２５２は、通常の電話の着信の際の処理であり、ｓ２５１では、緊急情報通知電話を着信すると従来のように音やバイブレータの振動により電話の着信をユーザに告知する。さらに、着信履歴から、発信者の電話番号、または、この電話番号に対応する発信者に関する情報が電話帳に登録されている場合にはその情報（例えば、緊急情報の着信を表すため、「緊急情報着信」等が登録されている場合にはこの文字列）を、ｓ２５２にて携帯電話機２のサブ表示画面に表示する。この表示により、ユーザは緊急情報の着信を知ることができる。
【００７０】
　また、補助プログラム４ｃ’は、着信履歴から、発信者の電話番号が緊急情報配信システム１’を備えるデータセンタのものであると判定された場合、緊急情報配信の通知であると認識し、緊急情報配信システム１’に緊急情報配信要求を送信する（ｓ２５３）。なお、上記データセンタの電話番号は、携帯電話機２側で予め登録されているか、補助プログラム４ｃ’に設定されているものとする。緊急情報配信要求の送信以降（ｓ２５３〜）の動作は、（例１）の例で説明したｓ２３２以降の動作と同様となる。
【００７１】
　以上のように、緊急情報配信システム１’を構成し動作させることにより、広告配信システム１による広告データの配信に代え、緊急を要する緊急情報の配信を行うことができる。
【図面の簡単な説明】
【００７２】
【図１】本発明の一実施の形態である広告配信システムと、この広告配信システムから広告データの配信を受ける折畳み型携帯電話機を含むシステム全体の概略構成を示す図である。
【図２】同実施の形態の広告配信システムの概略構成を示すブロック図である。
【図３】同実施の形態におけるユーザの登録処理に係る携帯電話機における表示画面の遷移例である。
【図４】同実施形態の広告配信システムの動作および補助プログラムの制御による携帯電話機の動作について説明するシーケンス図（実施例１）である。
【図５】（ａ）同実施の形態における待受け画面として広告データの表示例、（ｂ）待受け画面の消去を伴う操作後の表示例である。
【図６】同実施形態の広告配信システムの動作および補助プログラムの制御による携帯電話機の動作について説明するシーケンス図（実施例２）である。
【図７】緊急情報配信システムの概略構成を示すブロック図である。
【図８】同実施形態の緊急情報配信システムの動作および補助プログラムの制御による携帯電話機の動作（例１）について説明するシーケンス図である。
【図９】同実施形態の緊急情報配信システムの動作および補助プログラムの制御による携帯電話機の動作（例２）について説明するシーケンス図である。
【図１０】同実施形態の緊急情報配信システムの動作および補助プログラムの制御による携帯電話機の動作（例３）について説明するシーケンス図である。
【図１１】同実施形態における動作概要を示す図である。
【符号の説明】
【００７３】
　１…広告配信システム
　２…折畳み型携帯電話機（携帯電話機）
　３…通信部
　４…記憶部
　４ａ…ユーザ属性ＤＢ
　４ｂ…広告スケジュールＤＢ
　４ｃ，４ｃ’…補助プログラム
　５…処理部
　５ａ…ユーザ登録部（ユーザ登録手段）
　５ｂ…補助プログラム提供部（プログラム提供手段）
　５ｃ…広告データ配信部（広告データ配信手段）
　５ｄ…広告閲覧時間算出部（閲覧時間算出手段）
　１’…緊急情報配信システム
　４ｂ’…緊急情報ＤＢ（緊急情報登録手段）
　５ｃ’…緊急情報配信部（配信手段）
　５ｄ’…閲覧統計量算出部（算出手段）
【図１】
2004147314.tif 000003
【図２】
2004147314.tif 000004
【図３】
2004147314.tif 000005
【図４】
2004147314.tif 000006
【図５】
2004147314.tif 000007
【図６】
2004147314.tif 000008
【図７】
2004147314.tif 000009
【図８】
2004147314.tif 000010
【図９】
2004147314.tif 000011
【図１０】
2004147314.tif 000012
【図１１】
2004147314.tif 000013